(57)【特許請求の範囲】
【請求項１】
感光体に対して露光部から露光することで画像を形成し、前記感光体上から転写紙に前記画像を転写する画像形成装置における濃度調整を伴う画像形成制御方法であって、
前記感光体上に所定濃度のパッチ画像を形成し、前記転写紙への転写前に前記パッチ画像の濃度をセンサで検知した濃度検知結果に基づいて第１濃度調整として画像形成条件を制御し、
前記感光体上に所定濃度のパッチ画像を形成し、前記転写紙に転写された前記パッチ画像の濃度をセンサで検知した濃度検知結果に基づいて第２濃度調整として画像形成条件を制御する際に、
前記第１濃度調整における濃度検知結果と前記第２濃度調整における濃度検知結果とが一致する傾向の紙種である場合には、前記第２濃度調整の実行頻度を減らし、前記第１濃度調整における濃度検知結果と前記第２濃度調整における濃度検知結果とが一致しない傾向の紙種である場合には、前記第２濃度調整の実行頻度を増やすように、転写紙の紙種に応じて、前記第１濃度調整と前記第２濃度調整とを実行する頻度を変更する、
ことを特徴とする画像形成制御方法。
【請求項２】
前記第２濃度調整の実行頻度を減らした場合に、前記第１濃度調整の実行頻度を増やす、
ことを特徴とする請求項１に記載の画像形成制御方法。
【請求項３】
前記第２濃度調整の実行頻度を増やした場合に、前記第１濃度調整の実行頻度を減らす、
ことを特徴とする請求項１または請求項２に記載の画像形成制御方法。
【請求項４】
前記紙種は、画像形成装置の給紙トレイに関連付けられた情報である、
ことを特徴とする請求項１−３のいずれか一項に記載の画像形成制御方法。
【請求項５】
画像が形成される感光体と、
前記感光体に対して画像を形成するための露光を行う露光部と、
前記感光体から前記画像を転写紙に転写する転写部と、
前記感光体上に所定濃度のパッチ画像を形成して前記転写紙への転写前に前記パッチ画像の濃度をセンサで検知した濃度検知結果に基づいて画像形成条件を制御する第１濃度調整と、前記感光体上に所定濃度のパッチ画像を形成して前記転写紙に転写された前記パッチ画像の濃度をセンサで検知した濃度検知結果に基づいて画像形成条件を制御する第２濃度調整と実行する制御部と、
を備え、
前記制御部は、前記第１濃度調整における濃度検知結果と前記第２濃度調整における濃度検知結果とが一致する傾向の紙種である場合には、前記第２濃度調整の実行頻度を減らし、前記第１濃度調整における濃度検知結果と前記第２濃度調整における濃度検知結果とが一致しない傾向の紙種である場合には、前記第２濃度調整の実行頻度を増やすように、転写紙の紙種に応じて、前記第１濃度調整と前記第２濃度調整とを実行する頻度を変更する、
ことを特徴とする画像形成装置。
【請求項６】
前記制御部は、前記第２濃度調整の実行頻度を減らした場合に、前記第１濃度調整の実行頻度を増やす、
ことを特徴とする請求項５に記載の画像形成装置。
【請求項７】
前記制御部は、前記第２濃度調整の実行頻度を増やした場合に、前記第１濃度調整の実行頻度を減らす、
ことを特徴とする請求項５または請求項６に記載の画像形成装置。
【請求項８】
前記制御部は、前記紙種を、画像形成装置の給紙トレイに関連付けられた情報として取得する、
ことを特徴とする請求項５−７のいずれか一項に記載の画像形成装置。
【発明の詳細な説明】
【技術分野】
【０００１】
本発明は、複写機やプリンタなどでの画像形成制御方法および画像形成装置に関し、特に、パッチ画像を用いた濃度調整を行う画像形成制御方法および画像形成装置に関する。
【背景技術】
【０００２】
画像データに基づいて感光体上に露光することで静電潜像を形成し、その静電潜像を現像剤（トナー）で現像して顕像化されたトナー像を生成し、さらに、感光体上に生成したトナー像を中間転写体に転写し、この中間転写体上のトナー像を転写紙に転写し、トナー像が載った転写紙を熱と圧力とによって定着することにより画像形成する画像形成装置が存在している。この場合、カラー画像形成装置などで、色毎の複数の感光体上のトナー像を中間転写体上で重ね合わせてから、カラーのトナー像を一度に転写紙に転写するようにしている。なお、モノクロの場合には、中間転写体を使用せずに、感光体から転写紙に転写する画像形成装置もある。
【０００３】
このような画像形成装置では、露光光量やその他の各種画像形成条件のパラメータを制御することで、適切な濃度の画像形成を実行するようにしている。
【０００４】
ここで、露光部に使用されるレーザダイオードからの光量が一定に保たれていないと、画像の濃度が変化する。たとえば、駆動電圧の変動、画像形成装置内部の温度変化、レーザダイオードの発熱による温度変化などによって、レーザダイオードの光量が変化することが知られている。
【０００５】
同様に、他の画像形成条件によっても、画像の濃度が変化することがある。ここで、画像形成条件としては、帯電、現像、転写などの条件が存在する。たとえば、像担持体および転写紙に対して転写手段から転写電流を与えることで、トナー像が転写紙に転写されており、この転写電流の電流値によって転写紙へ転写されるトナーの割合が変化する。また、この転写効率は、転写紙の大きさ、厚み、材質、温度、湿度、感光体上でのトナーの電荷量、トナーの付着量、転写手段の汚れ、転写紙の含水状態，転写紙と感光体との密着状態，感光体の回転速度，転写紙の搬送速度，などによっても変化することが知られており、これら諸条件を考慮した上で調整する必要があるが、最適な転写電流値に調節することは難しい。
【０００６】
このため、所定の濃度の画像データに応じたパッチ画像のトナー像を感光体上、中間転写体、あるいは、転写紙上に形成し、そのパッチ画像のトナー像の濃度を測定し、画像データから予測される濃度と実測された濃度との相違から各種画像形成条件を補正して濃度を一定に保つ濃度調整の技術が存在する。
【０００７】
なお、このような濃度調整に関して、以下の特許文献に関連技術が記載されている。
【先行技術文献】
【特許文献】
【０００８】
【特許文献１】特開２０１０−８９４８８号公報
【特許文献２】特開２００８−１５０２５号公報
【発明の概要】
【発明が解決しようとする課題】
【０００９】
ここで、感光体あるいは中間転写体上のパッチ画像による濃度調整では、画像形成実行時において、感光体上の非転写領域、すなわち、転写すべき画像の間（非転写領域）を利用して、感光体や中間転写体上のパッチ画像をセンサで読み取ることで、画像形成を実行中にリアルタイムに実行することが可能である。これにより、画像形成を停止させる必要が無くなり、生産性が向上する。
【００１０】
ただし、パッチ画像を実際に転写紙に転写していないため、転写紙の表面状態によっては転写性能が変化し、画像濃度が変化することがある。
【００１１】
一方、転写紙に転写したパッチ画像をセンサで読み取る濃度調整では、パッチ画像を実際に転写紙に転写しているめ、実際の画像濃度を読み取れる利点がある反面、通常の画像形成を停止してパッチ画像を形成するための動作を行う必要があるため生産性が低下し、また、濃度調整を実行する毎に転写紙を１枚消費するという問題を有している。
【００１２】
そこで、感光体あるいは中間転写体上のパッチ画像の濃度を読み取る濃度調整と、転写紙に転写したパッチ画像を読み取る濃度調整とを、それぞれ予め定められた頻度で実行することが行われている。
【００１３】
しかし、画像形成装置で実際に使用される転写紙の種類によっては、感光体あるいは中間転写体上のパッチ画像の濃度を読み取る濃度調整では正確な制御ができない場合や、感光体あるいは中間転写体上のパッチ画像の濃度を読み取る濃度調整だけで十分で転写紙を出力する濃度調整は不要な場合、などがある。このため、適切な濃度調整が行われなかったり、無駄に転写紙が使われて生産性が低下している状況が発生している。
【００１４】
なお、以上の特許文献１や特許文献２にも、濃度調整におけるこのような問題への対処はなされていなかった。
【００１５】
本発明は、上記の課題を解決するためになされたものであって、感光体や中間転写体上のパッチ画像の濃度を読み取る濃度調整と転写紙に転写したパッチ画像の濃度を読み取る濃度調整とを適切な頻度で実行すると共に転写紙の無駄や生産性の低下を最低限に抑えることが可能な画像形成制御方法および画像形成装置を実現することを目的とする。
【課題を解決するための手段】
【００１６】
課題を解決する本発明は、以下のように構成されたものである。
【００１７】
この発明は、感光体に対して露光部から露光することで画像を形成し、前記感光体上から転写紙に前記画像を転写する画像形成装置、また、この画像形成装置における濃度調整を伴う画像形成制御方法であって、前記感光体上に所定濃度のパッチ画像を形成し、前記転写紙への転写前に前記パッチ画像の濃度をセンサで検知した濃度検知結果に基づいて第１濃度調整として画像形成条件を制御し、前記感光体上に所定濃度のパッチ画像を形成し、前記転写紙に転写された前記パッチ画像の濃度をセンサで検知した濃度検知結果に基づいて第２濃度調整として画像形成条件を制御する際に、転写紙の紙種に応じて、前記第１濃度調整と前記第２濃度調整とを実行する頻度を変更する、ことを特徴とする。
【００１８】
ここで、前記第１濃度調整における濃度検知結果と前記第２濃度調整における濃度検知結果とが一致する傾向の紙種である場合には、前記第２濃度調整の実行頻度を減らし、前記第１濃度調整における濃度検知結果と前記第２濃度調整における濃度検知結果とが一致しない傾向の紙種である場合には、前記第２濃度調整の実行頻度を増やす、ことを特徴とする。
【００１９】
また、前記第２濃度調整の実行頻度を減らした場合に、前記第１濃度調整の実行頻度を増やす、ことを特徴とする。
【００２０】
また、前記第２濃度調整の実行頻度を増やした場合に、前記第１濃度調整の実行頻度を減らす、ことを特徴とする。
【００２１】
また、前記紙種は、画像形成装置の給紙トレイに関連付けられた情報である、ことを特徴とする。
【発明の効果】
【００２２】
本発明によれば、以下のような効果が得られる。
【００２３】
この発明では、感光体上に所定濃度のパッチ画像を形成し、転写紙への転写前にパッチ画像の濃度をセンサで検知した濃度検知結果に基づいて第１濃度調整として画像形成条件を制御し、感光体上に所定濃度のパッチ画像を形成し、転写紙に転写されたパッチ画像の濃度をセンサで検知した濃度検知結果に基づいて第２濃度調整として画像形成条件を制御する際に、転写紙の紙種に応じて、第１濃度調整における濃度検知結果と第２濃度調整における濃度検知結果とが一致する傾向にある場合には、第２濃度調整の実行頻度を減らし、第１濃度調整における濃度検知結果と第２濃度調整における濃度検知結果とが一致しない傾向にある場合には、第２濃度調整の実行頻度を増やす、といった具合に、第１濃度調整と第２濃度調整とを実行する頻度を変更する。
【００２４】
このため、感光体や中間転写体上のパッチ画像の濃度を読み取る濃度調整と転写紙に転写したパッチ画像の濃度を読み取る濃度調整とを適切な頻度で実行すると共に転写紙の無駄や生産性の低下を最低限に抑えることが可能になる。
【００２５】
すなわち、画像形成装置で実際に使用される転写紙の種類によって、感光体あるいは中間転写体上のパッチ画像の濃度を読み取る濃度調整では正確な制御ができない場合や、感光体あるいは中間転写体上のパッチ画像の濃度を読み取る濃度調整だけで十分で転写紙を出力する濃度調整は不要な場合、などであっても、適切な頻度で濃度調整が行われるようになり、無駄な転写紙出力がなくなり、生産性低下も抑えられる。
【図面の簡単な説明】
【００２６】
【図１】本発明の実施形態の概略構成を示す構成図である。
【図２】本発明の実施形態の概略構成を示す構成図である。
【図３】本発明の実施形態の動作を示すフローチャートである。
【図４】本発明の実施形態における制御の様子を示す説明図である。
【図５】本発明の実施形態における制御の様子を示す説明図である。
【図６】本発明の実施形態の動作時の表示画面例を示す説明図ある。
【図７】本発明の実施形態の動作時の表示画面例を示す説明図ある。
【図８】本発明の実施形態の動作時の表示画面例を示す説明図ある。
【図９】本発明の実施形態の動作時の表示画面例を示す説明図ある。
【図１０】本発明の実施形態の動作を示すタイムチャートである。
【図１１】本発明の実施形態の動作時の表示画面例を示す説明図ある。
【発明を実施するための形態】
【００２７】
以下、図面を参照して本発明を実施するための最良の形態（実施形態）を詳細に説明する。ここでは、画像形成装置を具体例として説明する。ここで、画像形成制御方法は、画像形成装置の動作あるいは制御として実現される。
【００２８】
〔１〕実施形態の構成：
ここで、第一実施形態の画像形成装置１００の構成を、図１（ブロック図）と図２（断面構成図）に基づいて詳細に説明する。なお、画像形成装置として既知であって、本実施形態の特徴的な動作や制御に直接に関係しない一般的な部分についての説明は省略してある。
【００２９】
画像形成装置１００において、制御部１０１は画像形成装置１００の各部を制御するためにＣＰＵなどで構成され、制御プログラムに従って動作している。
【００３０】
操作部１０３は画像形成装置の操作者が各種操作入力を行うもので、表示部、タッチパネル、各種スイッチやキーなどが設けられている。
【００３１】
記憶部１０５は各種データを記憶する記憶手段であり、この実施形態では、画像条件を制御する際に用いられるパッチ画像の濃度やパターン、パッチ画像形成位置、制御時における各種データなどを有する。
【００３２】
露光制御部１１０は、画像処理された画像データに応じて露光駆動信号を生成する駆動手段であり、制御部１０１からの濃度調整の指示に基づいて露光駆動信号のレベルが調整される。なお、以上の制御部１０１と露光制御部１１０とが、本実施形態と請求項とにおける濃度調整での制御部を構成している。
【００３３】
パッチ生成部１２０は制御部１０１からのパッチ画像生成指示に基づいてパッチ画像データを生成するものであり、パッチ画像データを後述する画像処理部１３０に供給する。なお、パッチ生成部１２０は、濃度調整のための濃度パッチ、レジスト調整のためのレジストパッチ、トナー帯パッチなど各種のパッチを生成することが可能である。
【００３４】
画像処理部１３０は画像形成すべき通常の画像データや濃度調整のためのパッチ画像データを、画像形成に適した状態にするための画像処理を実行し、処理された画像データを露光制御部１１０に供給する。
【００３５】
プロセスユニット１７０は転写紙に画像（トナー像）を形成する各種動作を実行する書き込みユニットであり、レーザダイオードなどの発光素子とポリゴンミラーなどの走査部とにより露光を行う露光部１７２と、露光により形成される静電潜像が現像部によりトナー像として形成される感光体１７３と、感光体１７３を駆動する感光体駆動部１７３Ｍと、感光体１７３のトナー像が転写される中間転写体１７５と、中間転写体１７５を駆動する中間転写体駆動部１７５Ｍと、転写紙への転写前の中間転写体１７５上のパッチ画像の濃度を検知する濃度センサ１７２ｓと、を少なくとも備えて構成されている。
【００３６】
なお、プロセスユニット１７０のその他の構成については、図２で詳細に説明する。また、この図１では基本的な構成を示しており、カラー画像形成装置の場合には、使用する色に応じて各部を複数色数に応じて配置すればよい。
【００３７】
定着部１８０は、トナー像が転写された転写紙を挟持搬送しつつ、加熱と加圧とにより定着を実行してトナー像を転写紙上で安定した状態にする。
【００３８】
濃度センサ１９０ｓは転写紙上に転写されたトナー像においてパッチ画像の濃度を検知するセンサである。
【００３９】
次に、図２を参照して画像形成装置１００の機械的構成や各部の配置について説明する。
【００４０】
給紙部１５０は、一または複数の給紙トレイ１５０Ｔに載置された転写紙を給紙ローラによって画像形成位置まで送り出す給紙手段である。
【００４１】
搬送部１６０は、給紙部１５０から送り出された転写紙を所定の搬送速度で搬送する搬送手段であり、レジストローラやその他各種の搬送ローラ、搬送ベルトなどを備えて構成されている。さらに、搬送部１６０の各部の所定位置には、転写紙の先端を検知する先端検知センサなどの搬送センサ１６０ｓが配置されている。
【００４２】
プロセスユニット１７０は、転写紙に画像を形成する各種動作を実行する書き込みユニットであり、感光体１７３に所定の帯電をさせる帯電部１７１、感光体１７３を画像データに応じて露光する露光部１７２、露光により静電潜像が形成される像担持体としての感光体１７３、感光体１７３の静電潜像を現像してトナー像にする現像部１７４、感光体１７３上のトナー像が転写されてトナー像を担持する像担持体としての中間転写体１７５、中間転写体１７５上のトナー像を転写紙に転写する転写部１７６、を備えている。
【００４３】
なお、画像形成装置１００が複数色のトナー像を合成するカラー画像形成装置の場合には、図２に示されるように、プロセスユニット１７０において、帯電部１７１、露光部１７２、感光体１７３、現像部１７４が各色に対応して設けられており、中間転写体１７５上で各色のトナー像が重ね合わされて、最終的に転写紙に転写される構成になっている。
【００４４】
また、中間転写体１７５に転写された画像の濃度を検知する濃度センサ１７２ｓが設けられ、転写前のパッチ画像の濃度を検知するために使用される。
【００４５】
なお、感光体１７３はドラム形状ではなく、ベルト状であってもよい。同様に、中間転写体１７５はベルト状ではなく、ドラム状であってもよい。
【００４６】
また、図１と図２では、濃度センサ１７２ｓが中間転写体１７５上のトナー像の濃度を検知するものとして示しているが、感光体１７３上のトナー像の濃度を検知するものであっても良い。
【００４７】
同様に、図１と図２では、濃度センサ１９０ｓが画像形成装置１００内の定着部１８０直後で転写紙上のトナー像の濃度を検知するものとして示しているが、画像形成装置１００の後段に接続される中処理装置（図示せず）や後処理装置（図示せず）の通紙経路上に濃度センサ１９０ｓが設けられていても良い。
【００４８】
〔２〕動作：
以下、図３のフローチャート、図４−５のデータ説明図、図６以降の画面説明図を参照して実施形態の画像形成装置１００についての動作説明を行う。
【００４９】
〔２−１〕設定：
画像形成装置１００は制御部１０１の制御プログラムに従って動作しており、この制御プログラム中に、図３のフローチャートに示される濃度調整設定についてのサブルーチンが含まれており、図３のフローチャートを定期的に実行する。
【００５０】
濃度調整設定の操作が操作部１０３にて選択されると、制御部１０１は、以下に説明する濃度調整設定処理を実行する（図３中のステップＳ１０１でＹＥＳ）。ここで、濃度調整設定処理とは、転写紙に形成したパッチ画像を読み取る第２濃度調整と、中間転写体１７５上に形成したパッチ画像を読み取る第１濃度調整とについて、転写紙の紙種に応じた実行頻度を設定あるいは設定変更する処理である。
【００５１】
濃度調整設定処理が実行されると、制御部１０１は図６の設定画面を表示し、画面上でメッセージ（図６：（ａ））を表示して、操作者にトレイ選択を促す。ここでは、画像形成装置１００の給紙トレイ１５０Ｔとして、トレイ１，トレイ２，トレイ３，手差しトレイが候補として表示されており、操作者が「トレイ１」を選択（図６（ｂ））した状態を示している。
【００５２】
なお、画像形成装置１００では、トレイ毎に、そのトレイに割り当てられた転写紙のサイズ，紙種などを用紙プロファイルとして設定するように構成されている。
【００５３】
ここで、制御部１０１は、トレイ１に転写紙の割り当てが存在すれば、制御部１０１は、図６の表示画面に転写紙のサイズ，紙種などの情報を表示する。
【００５４】
また、ここで、トレイ１に転写紙の割り当てが未だ存在していなければ（図３中のステップＳ１０３でＮＯ）、制御部１０１は、図６の表示画面において、転写紙のサイズ，紙種などの情報を操作者から受け付けて設定を行う（図３中のステップＳ１０４）。
【００５５】
制御部１０１は、予め定められ記憶部１０５に格納されているテーブルを参照し、転写紙の紙種に応じて、転写紙に形成したパッチ画像を読み取る第２濃度調整としての転写紙濃度調整の実行頻度と、中間転写体１７５上に形成したパッチ画像を読み取る第１濃度調整としてのＩＤＣ（Image Density Control）濃度調整（転写前濃度調整）の実行頻度とを定めて（図３中のステップＳ１０５でＹＥＳ、Ｓ１０６）、表示画面に表示する（図６：（ｄ），（ｅ））。
【００５６】
なお、この実施形態において、転写紙濃度調整は転写紙への転写後の濃度調整である。また、この実施形態において、転写前濃度調整は、転写紙への転写前の状態で感光体１７３や中間転写体１７５上に形成したパッチ画像を読み取る濃度調整を意味している。
【００５７】
ここでは、トレイ１として普通紙が選択されており、たとえば、転写紙濃度調整としては２０００プリント毎・ジョブ終了時（図６（ｄ））と設定された状態を例示している。この場合、トレイ１から給紙しているときに、前回の濃度調整から２０００プリント以上経過したジョブ終了時に転写紙濃度調整を実施する。転写紙濃度調整では、転写紙にパッチ画像を含むチャートを出力して、そのチャートの濃度を濃度センサ１９０ｓで読み取り、その読み取り結果に応じて濃度調整を行う。
【００５８】
また、トレイ１として普通紙が選択されており、たとえば、転写前濃度調整としては５００プリント毎・ジョブ中可（図６（ｅ））、と設定された状態を例示している。この場合、トレイ１から給紙しているときに、前回の濃度調整から５００プリント経過したジョブ中、あるいは、丁度ジョブ終了時であればジョブ終了時に転写前濃度調整を実施する。転写前濃度調整では、中間転写体１７５上にパッチ画像を描き、そのパッチ画像の濃度を画像形成装置内にある濃度センサ１７２ｓで読み取り、その読み取り結果に応じて調整を行う。
【００５９】
この例では、トレイごとに転写紙濃度調整と転写前濃度調整の有無を含む頻度、及びタイミングの設定が可能な場合を挙げる。転写紙濃度調整、転写前濃度調整の実施頻度は、無しと１−９９９９プリント数の範囲で設定可能とする。プリント数を設定した場合は、前回の濃度調整からそのプリント数を超えると、設定されたタイミング（ジョブ終了時またはジョブ中）で濃度調整を実施する。
【００６０】
なお、タイミングとしては、転写前濃度調整の場合には、感光体１７３や中間転写体１７５の非画像領域を使用することで、生産性に影響を与えずにジョブ中の実行が可能である。一方、転写紙濃度調整は転写紙にパッチ画像を形成するため、ジョブ終了時とすることが望ましい。
【００６１】
ここで、転写紙の紙種に応じて、転写紙濃度調整の実行頻度と、転写前濃度調整の実行頻度とを、制御部１０１が定める際に参照するテーブルの一例を、図４〜図５に示す。
【００６２】
このテーブルでは、転写紙濃度調整における濃度センサ１９０ｓの検知結果と転写前濃度調整における濃度センサ１７２ｓの検知結果とが一致する傾向にあるか、一致しない傾向にあるかを、転写紙の種類に応じて分類し、より一致する傾向にある場合には転写紙濃度調整の実行頻度を減らし、より一致しない傾向にある場合には転写紙濃度調整の実行頻度を増やすように設定してある。
【００６３】
なお、この実施形態において、一致する傾向、一致しない（不一致）傾向とは、複数の紙種の転写紙の検知結果について、相対的な傾向を意味するもので、絶対値ではない。
【００６４】
図４と図５に示す具体例では、転写紙濃度調整の検知結果と転写前濃度調整の検知結果とが一致するか否かの傾向に合わせて、一致する傾向〜一致しない傾向を大きく４種類に分類し、一致側から不一致側に向かって、普通紙（上質）、普通紙、普通紙（再生）、エンボス紙やマット紙の順に分類することができる。なお、この４段階に限られず、２〜３段階や、５段階以上であってもよい。
【００６５】
また、図４に示す例では、転写前濃度調整の実行頻度は変えずに、一致する傾向にある場合には転写紙濃度調整の実行頻度を減らし、一致しない傾向にある場合には転写紙濃度調整の実行頻度を増やすように設定してある。このようにすることで、一致する傾向にある場合には転写前濃度調整により正確な濃度調整が行えるため転写紙濃度調整を減らして転写紙の無駄な出力を減らして生産性を向上させることができ、一致しない傾向にある場合には転写紙濃度調整を増やすことで正確な濃度調整が可能になる。
【００６６】
また、図５に示す例では、転写前濃度調整の実行頻度と転写紙濃度調整の実行頻度とを、反比例若しくは逆比例する状態で連動させるように、転写紙濃度調整だけでなく転写前濃度調整の実行頻度も変更するようにしている。このようにすることで、一致する傾向にある場合には転写前濃度調整頻度を増やして一層正確な濃度調整を行うと共に転写紙濃度調整を減らして転写紙の無駄な出力を減らして生産性を向上させることができ、一致しない傾向にある場合には正確さに欠ける転写前濃度調整を減らすと共に転写紙濃度調整を増やすことで正確な濃度調整が可能になる。
【００６７】
操作者は、制御部１０１が定めた設定で良い場合には、表示画面における設定登録釦（図６（ｆ））をクリックする。この操作を受けた制御部１０１は、表示されている値をトレイ１の設定値として登録する（図３中のステップＳ１１５）。なお、この図６の表示例では、転写紙濃度調整と転写前濃度調整の有無を含む頻度、及びタイミングの設定をトレイ設定としているが、その中で用紙プロファイルとして名称を付けて登録できる。また設定呼び出し釦（図６（ｇ））をクリックすることで、予め登録されている設定値のサンプルを呼び出してトレイに設定することも可能である。
【００６８】
また、図６の表示画面において、制御部１０１が定めた設定値に対して操作者が設定変更を加えようとする場合には、操作者が設定変更釦（図６（ｈ））をクリックすることで設定値の変更が可能である（図３中のステップＳ１０５でＮＯ）。
【００６９】
例えば、操作者が設定変更釦をクリックした上で転写紙濃度調整の設定値を５０００プリント毎に変更したとする（図３中のステップＳ１０７でＹＥＳ、Ｓ１０９、図７（ｄ））。
【００７０】
この場合、制御部１０１は、図８（ｉ）に示すポップアップ画面を表示画面上に表示して、転写紙濃度調整に続く転写前濃度調整に関して、転写前濃度調整を転写紙濃度調整に独立して手動設定するか、あるいは、転写前濃度調整を転写紙濃度調整に連動させた状態で自動設定するか、を操作者に問い合わせる（図３中のステップＳ１１０）。
【００７１】
ここで、操作者が独立釦（図８（ｊ））をクリックした場合には（図３中のステップＳ１１０でＹＥＳ）、図９の表示画面で、操作者による転写前濃度調整の設定値変更を受け付ける（図３中のステップＳ１１１ａ、図９（ｅ））。そして、操作者は、自分で定めた設定（図示せず）で良い場合には、表示画面における設定登録釦（図９（ｆ））をクリックする。この操作を受けた制御部１０１は、表示されている値をトレイ１の設定値として登録する（図３中のステップＳ１１５）。
【００７２】
一方、操作者が連動釦（図７（ｋ））をクリックした場合には（図３中のステップＳ１１０でＮＯ）、図１０の表示画面のように、変更時の連動データが予め設定されたテーブル（図示せず）を参照した制御部１０１が、転写前濃度調整の設定変更値を転写紙濃度調整の設定値に応じて決定して表示する（図３中のステップＳ１１１ｂ、図１０（ｅ））。ここでは、転写紙濃度調整を操作者が５０００プリント毎と頻度を減らしたため、逆比例あるいは反比例した状態で頻度を増やし、転写前濃度調整を１００プリント毎のように頻度を増やすように設定する。そして、操作者は、制御部１０１が定めた設定で良い場合には、表示画面における設定登録釦（図１０（ｆ））をクリックする。この操作を受けた制御部１０１は、表示されている値をトレイ１の設定値として登録する（図３中のステップＳ１１５）。
【００７３】
以上のように、操作者による転写紙濃度調整の実行頻度の設定変更に対し、転写前濃度調整を連動させて制御部１０１が設定変更する場合には、正確な濃度調整を行うと共に転写紙濃度調整を減らして転写紙の無駄な出力を減らして生産性を向上させることが可能になる。また、以上のように、操作者による転写紙濃度調整の実行頻度の設定変更に対し、転写前濃度調整も操作者により設定変更する場合には、操作者の意図も反映しつつ、正確な濃度調整を行うと共に転写紙濃度調整を減らして転写紙の無駄な出力を減らして生産性を向上させることが可能になる。
【００７４】
また、操作者が設定変更釦をクリックした上で転写前濃度調整の設定値を変更したとする（図３中のステップＳ１０７でＮＯ、Ｓ１０８でＹＥＳ、Ｓ１０９、Ｓ１１２）。
【００７５】
この場合も、制御部１０１は、図８（ｉ）と同様なポップアップ画面を表示画面上に表示して、転写紙濃度調整を転写前濃度調整に独立して手動設定するか、あるいは、転写紙濃度調整を転写前濃度調整に連動させた状態で自動設定するか、を操作者に問い合わせる（図３中のステップＳ１１３）。
【００７６】
ここで、操作者が独立釦（図７（ｊ））をクリックした場合には（図３中のステップＳ１１３でＹＥＳ）、図９の表示画面と同様に、操作者による転写紙濃度調整の設定値変更を受け付ける（図３中のステップＳ１１４ａ）。そして、操作者は、自分で定めた設定（図示せず）で良い場合には、表示画面における設定登録釦をクリックする。この操作を受けた制御部１０１は、表示されている値をトレイ１の設定値として登録する（図３中のステップＳ１１５）。
【００７７】
一方、操作者が連動釦（図７（ｋ））をクリックした場合には（図３中のステップＳ１１３でＮＯ）、図１０の表示画面と同様に、変更時の連動データが予め設定されたテーブル（図示せず）を参照した制御部１０１が転写紙濃度調整の設定変更値を転写前濃度調整の設定変更値に応じて決定して表示する（図３中のステップＳ１１４ｂ）。そして、操作者は、制御部１０１が定めた設定で良い場合には、表示画面における設定登録釦をクリックする。この操作を受けた制御部１０１は、表示されている値をトレイ１の設定値として登録する（図３中のステップＳ１１５）。
【００７８】
以上のように、操作者による転写前濃度調整の一方の実行頻度の設定変更に対し、転写紙濃度調整を連動させて制御部１０１が設定変更する場合には、正確な濃度調整を行うと共に転写紙濃度調整を減らして転写紙の無駄な出力を減らして生産性を向上させることが可能になる。また、以上のように、操作者による転写前濃度調整の一方の実行頻度の設定変更に対し、転写紙濃度調整も操作者により設定変更する場合には、操作者の意図も反映しつつ、正確な濃度調整を行うと共に転写紙濃度調整を減らして転写紙の無駄な出力を減らして生産性を向上させることが可能になる。
【００７９】
〔２−２〕動作：
画像形成装置１００は制御部１０１の制御プログラムに従って動作しており、この制御プログラム中に、画像形成動作時は図１１のフローチャートに示される濃度調整実行についてのサブルーチンが含まれており、図１１のフローチャートを定期的に実行する。
【００８０】
プリントすべきジョブの設定がなされ（図１１中のステップＳ２０１）、プリント開始の指示が操作部１０３や外部機器から与えられると（図１１中のステップＳ２０２でＹＥＳ）、制御部１０１は、ジョブで指定されたトレイの濃度調整に関する設定を呼び出す（図１１中のステップＳ２０３）。
【００８１】
制御部１０１は、プリントを実行する際に（図１１中のステップＳ２０４）、プリント枚数、濃度調整の実行頻度、実行タイミングの設定を監視し（図１１中のステップＳ２０５）、プリント実行中に実行すべき頻度とタイミングに合致した設定があれば（図１１中のステップＳ２０５でＹＥＳ）、濃度調整を実行する（図１１中のステップＳ２０６）。
【００８２】
また、制御部１０１は、プリント終了時に（図１１中のステップＳ２０７でＹＥＳ）、プリント枚数、濃度調整の実行頻度、実行タイミングの設定を監視し（図１１中のステップＳ２０８）、プリント実行中に実行すべき頻度とタイミングに合致した設定があれば（図１１中のステップＳ２０８でＹＥＳ）、濃度調整を実行する（図１１中のステップＳ２０９）。
【００８３】
ここでは、画像形成装置１００で実際に使用される転写紙の種類によって、感光体１７３あるいは中間転写体１７５上のパッチ画像の濃度を読み取る濃度調整（転写前濃度調整）では正確な制御ができない場合や、感光体１７３あるいは中間転写体１７５上のパッチ画像の濃度を読み取る濃度調整だけで十分で転写紙を出力する濃度調整（転写紙濃度調整）は不要な場合、などであっても、適切な頻度で適切な濃度調整が行われるようになり、無駄な転写紙出力がなくなり、生産性低下も抑えられる。
【００８４】
〔３〕その他の実施形態：
以上の実施形態では、転写紙濃度調整と転写前濃度調整の頻度の設定変更についての説明が中心であったが、ジョブ中／ジョブ終了時といった実行タイミングについても、制御部１０１が自動設定する、操作者の一方の設定変更に連動して制御部１０１が他方の設定変更を行う、操作者が両方の設定変更を独立に行う、といったことが可能である。
【符号の説明】
【００８５】
１００  画像形成装置
１０１  制御部
１０３  操作部
１０５  記憶部
１１０  露光制御部
１２０  パッチ生成部
１３０  画像処理部
１７０  プロセスユニット
１７２ｓ  濃度センサ
１８０  定着部
１９０ｓ  濃度センサ
【図１】
0005803558.tif 000002
【図２】
0005803558.tif 000003
【図３】
0005803558.tif 000004
【図４】
0005803558.tif 000005
【図５】
0005803558.tif 000006
【図１１】
0005803558.tif 000007
【図６】
0005803558.tif 000008
【図７】
0005803558.tif 000009
【図８】
0005803558.tif 000010
【図９】
0005803558.tif 000011
【図１０】
0005803558.tif 000012